(57)【特許請求の範囲】
【請求項１】
複数のパネル加工品が既存壁面上に互いに間隙を設け且つ隣接するパネル加工品の互いの縁部が対向するように敷設されてなり、前記パネル加工品の周縁部にはパネル加工品を基体に止着させて支持する支持部が形成され、該支持部にはパネル加工品外方に凸出し且つネジにより止着可能とされたネジ止着部が形成され、該ネジ止着部が前記間隙で既存壁面上に止着されることにより複数のパネル加工品が既存壁面上に固定されてなるパネル壁であって、
前記間隙を挟んで隣接するパネル加工品には、互いに対向する方向に凸出したカバー部が側面に沿って備えられ、
パネル壁の表面側から既存壁側に水が侵入することを防止し得るように前記間隙を挟んで隣接するパネル加工品のカバー部は、互いの先端部を重なり合わせて前記ネジ止着部よりもパネル壁の表面側に備えられ、
且つ、パネル壁の表面側からネジ止着部の止着を実施し得るようにカバー部には弾性部材が用いられていることを特徴とするパネル壁。
【請求項２】
請求項１に記載のパネル壁に用いられるパネル加工品であって、
表面外縁が方形に形成され、四縁全周にカバー部が形成されていることを特徴とするパネル加工品。
【請求項３】
請求項１に記載のパネル壁を製造するパネル壁製造方法であって、
表面外縁が方形に形成され、四縁全周にカバー部が形成されているパネル加工品を複数用い、一パネル加工品を既存壁面上に止着し、他パネル加工品のカバー部が前記止着された一パネル加工品のカバー部と先端部が重なり合うように他パネル加工品を位置決めし、該位置決めされた他パネル加工品を既存壁面上に止着することを特徴とするパネル壁製造方法。
【発明の詳細な説明】
【技術分野】
【０００１】
本発明は、パネル壁およびその製造方法ならびにパネル壁に用いられるパネル加工品に関し、より詳しくは、既存壁面上に複数のパネル加工品が敷設され形成されたパネル壁およびその製造方法と、このパネル壁に用いられるパネル加工品に関する。
【背景技術】
【０００２】
従来、ビルの外壁などをリフォームすべく、既存の壁の上に複数のパネル加工品を敷設して新たにパネル壁を形成させることが行われている。このパネル壁の形成に用いられるパネル加工品は、通常、方形状に形成され周縁部にパネル加工品を基体に止着させて支持する支持部が形成されている。そして、パネル加工品をパネル壁表面側から取付け得るようにこの支持部は、通常、パネル加工品の側縁より外方に凸出した止着部が形成され、この止着部には、例えば、貫通孔が設けられてネジ止め可能とされている。
このパネル加工品を用いて、上記のようなパネル壁を形成するには、通常、既存壁上に木材やアングル材などの金属材でパネル加工品を取り付ける取り付け枠を形成させ、該枠にパネル加工品を取付ける方法などが用いられている。このとき、通常、隣接するパネル加工品の間には、止着部をネジ止めするために間隙が設けられている。例えば、方形のパネル加工品の四縁部を固定する場合にはパネル壁に碁盤目状の間隙が形成されることとなる。
この間隙部には、パネル壁の表面側から枠、既存壁、止着部の止着状況などが視認されることとなり、パネル壁の美観が損なわれることとなる。また、雨水などが浸入すると既存壁や木枠などを腐らせたりするおそれもある。そのため、従来、この間隙部にはコーキングが施され、さらにその表面側に、この間隙部よりもやや広幅に形成されたゴムキャップが圧入されたりしている。
しかし、このようにパネル壁を形成させる場合には、コーキング作業自体が煩雑で、さらにコーキング剤が硬化するまでの養生期間を必要とすることから作業性も低下させている。また、間隙部の幅が一部でも広くなっている場合にはこのゴムキャップが緩んでずれたり、外れたりするおそれがあり、間隙部の幅を一定とすべく慎重な作業を必要としている。さらに、パネル壁を製造した後に、例えば、一部のパネル加工品が破損したり汚れたりして取替えが必要な場合には、硬化したコーキング剤を除去してパネル加工品を交換しなければならず多大な手間がかかることからメンテナンス性も低下させている。
【０００３】
このことに対して、特許文献１には、樋状の受け材と、パネル加工品の幅あるいは長さの複数倍の長さを有するバックアップ材とを用いて、樋状の受け材を止着部の上にネジ止めして、複数のパネル加工品にわたる範囲にバックアップ材を配してこのバックアップ材にガスケットを取り付けることが記載されている。この特許文献１に記載されたパネル壁では、コーキングの手間を省略して、間隙部に既存壁や止着部が視認されることを防止することができるが、樋状の受け材を複数箇所に取り付けなければならずパネル壁の製造にかかる手間が十分簡略化されていない。
また、バックアップ材とガスケットが嵌め合いにより複数のパネル加工品にわたる範囲に取り付けられているために、一部のパネル加工品を取り替える必要が生じた場合には、取替えが必要なパネル加工品のみならず、複数のパネル加工品にわたる範囲に取り付けられているバックアップ材ならびにガスケットを取り外した後に、さらに複数箇所の樋状の受け材を取り外す作業が必要となる。さらに、パネル加工品の取替え後には、これらを改めて戻す必要があり、メンテナンスも十分容易なものとなっていない。
すなわち、従来のパネル壁においては、パネル壁の製造ならびにメンテナンスが十分容易なものとなっていないという問題を有している。
【０００４】
【特許文献１】特開平９−４１５５５号公報
【発明の開示】
【発明が解決しようとする課題】
【０００５】
本発明の課題は、上記問題点に鑑み、製造ならびにメンテナンスが容易なパネル壁と該パネル壁を製造する製造方法ならびにこのパネル壁に用いられるパネル加工品を提供することにある。
【課題を解決するための手段】
【０００６】
本発明は、前記課題を解決すべく、複数のパネル加工品が既存壁面上に互いに間隙を設け且つ隣接するパネル加工品の互いの縁部が対向するように敷設されてなり、前記パネル加工品の周縁部にはパネル加工品を基体に止着させて支持する支持部が形成され、該支持部にはパネル加工品外方に凸出し且つネジにより止着可能とされたネジ止着部が形成され、該ネジ止着部が前記間隙で既存壁面上に止着されることにより複数のパネル加工品が既存壁面上に固定されてなるパネル壁であって、前記間隙を挟んで隣接するパネル加工品には、互いに対向する方向に凸出したカバー部が側面に沿って備えられ、パネル壁の表面側から既存壁側に水が侵入することを防止し得るように前記間隙を挟んで隣接するパネル加工品のカバー部は、互いの先端部を重なり合わせて前記ネジ止着部よりもパネル壁の表面側に備えられ、且つ、パネル壁の表面側からネジ止着部の止着を実施し得るようにカバー部には弾性部材が用いられていることを特徴とするパネル壁と、該パネル壁に用いられるパネル加工品であって、表面外縁が方形に形成され、四縁全周にカバー部が形成されていることを特徴とするパネル加工品と、前記パネル壁を製造するパネル壁製造方法であって、表面外縁が方形に形成され、四縁全周にカバー部が形成されているパネル加工品を複数用い、一パネル加工品を既存壁面上に止着し、他パネル加工品のカバー部が前記止着された一パネル加工品のカバー部と先端部が重なり合うように他パネル加工品を位置決めし、該位置決めされた他パネル加工品を既存壁面上に止着することを特徴とするパネル壁製造方法とを提供する。
【発明の効果】
【０００７】
本発明のパネル壁は、間隙部を挟んで隣接するパネル加工品のカバー部が互いの先端部を重なり合わせて備えられているために、壁の表面側から既存壁側に水が浸入することを抑制し得る。また、このカバー部の重なり合いは、ネジ止着部よりも表面側で形成されているため、枠、既存壁、止着部の止着状況などが覆い隠されることとなり、パネル壁の美観が損なわれるおそれを抑制し得る。したがって、間隙部にコーキングを施したり、ゴムキャップを施したりすることを省略し得る。さらに、カバー部が重なり合うよう形成されているために間隙部の幅が変化しても水が浸入することを抑制し、パネル壁の美観が損なわれるおそれも抑制し得る。すなわち、コーキングなどの煩雑な手間ならびに間隙を一定とするための慎重な作業を必要とせず、パネル壁の製造を容易なものとし得る。
さらには、このカバー部には弾性部材が用いられているためにカバー部に力を加えてパネル壁の表面側あるいは背面側に屈曲させてパネル壁の表面側からネジ止着部の止着を実施することができ、また、止着後には前記力を解放することでカバー部を屈曲前の状態に復元させ得る。したがって、一旦製造されたパネル壁の間隙部のカバー部を屈曲させて止着部のネジの脱着を行うことができ、パネル壁から一部のパネル加工品をのみを取り外して新たなパネル加工品に取り替えることが可能である。すなわち、コーキングを除去したり、受け材やゴムキャップなどの他の部材を取り外し、取り付け直したりすることを必要とせずにパネル加工品の取り替えが可能で、メンテナンスを容易なものとし得る。
【発明を実施するための最良の形態】
【０００８】
以下に、本発明の好ましい実施の形態について図１及び図２を参照して説明する。
【０００９】
まず、パネル加工品１の構造について説明する。
パネル加工品１は、板状本体部１０と、パネル加工品１を基体上に固定する支持部２０とが形成され、この支持部２０は、パネル加工品１の外縁部に形成されている。またこの支持部２０には外方に凸出しネジで基体に止着可能とされたネジ止着部２１が形成されている。また、このネジ止着部２１よりもパネル加工品１の表面側には、パネル加工品１の側縁から外方に凸出したカバー部２４が形成されている。
【００１０】
前記板状本体部１０は、例えば、数十ｃｍ〜１ｍ数十ｃｍの長さ、１ｍ〜数ｍの幅、数ｍｍ〜十数ｍｍの厚さに形成された横長の方形板を用いて形成され、この方形板には、合成樹脂、セラミックス、石膏、硅酸カルシウム、セメントなどまたはこれらの発泡体や、繊維強化合成樹脂を用いることができる。さらにこの方形板には、例えばアルミニウムなどの金属の薄板でポリエチレンなどの合成樹脂を表裏から挟んだような複合板を用いることもできる。また、要すれば、表面に化粧シートが配されたり、各種塗装が行われたりしていてもよい。
【００１１】
前記支持部２０は、厚さ数ｍｍ部材を用いて形成されており内周に板状本体部１０の外周と略同一形状が形成され、板状本体部１０の四縁全周を囲むように形成されている。また、この支持部２０は、パネル加工品１の厚さ方向に立設された立設部２２と、この立設部２２の背面側の端部からパネル加工品１の外方に約１０ｍｍ凸出し、ネジ３にて止着可能なネジ止着部２１が四縁全周に形成されている。また、立設部２２の表面側の端部には前記方形板（板状本体部）を表面側と背面側とから挟持して保持する板状本体保持部２３が形成されている。すなわち、パネル加工品を表面側から見ると、支持部２０の側縁が方形板よりも支持部２０の部材厚さ分大きな方形とされ、さらにネジ止着部２１の外端縁が支持部２０の側縁よりもひとまわり（約１０ｍｍ）大きな方形を描くように形成されている。
また、この支持部２０には、前記立設部２２の中位に前記ネジ止着部２１の外端よりもさらに数ｍｍ外方に凸出したカバー部２４が四縁全周に備えられている。そのため、パネル加工品を表面側から見た場合には、前記ネジ止着部２１は、このカバー部２４により遮られて直接視認することができず、パネル加工品１の外縁部にはカバー部２４が形成されている様子しか観察されないこととなる。
【００１２】
前記板状本体保持部２３は、方形板を表面側と背面側とから挟持して保持するための、二重の突片が形成され表面側の突片２３１は方形板の端縁に数ｍｍ係る大きさとされ、背面側の突片２３２は方形板をリベット４止めするための貫通孔２３３がさらに備えられ方形板の端縁に数十ｍｍ係る大きさとされ、いずれも方形板の四縁全周に係るよう形成されている。
この板状本体保持部２３による板状本体部１０を保持する機構としては、接着剤や両面テープなどの接着手段を用いずに、上記の二重の突片２３２，２３３との係合およびリベット４での止着のごとく物理的締結のみにより実施されることで、耐候性などに優れたものとし得る。
【００１３】
前記ネジ止着部２１には、枠５にネジ止めして止着させ得るように、貫通孔２１１が形成されている。
【００１４】
前記立設部２２には、パネル加工品１の厚さ方向中位にカバー部２４の一端部を嵌合させて保持するための嵌合溝２２１が形成されており、この嵌合溝２２１は、パネル加工品１の側面全周においてカバー部２４の高さを略同一とし得るように、パネル加工品１の側面全周にわたりパネル加工品１の厚さ方向に同一高さの位置に形成されている。
【００１５】
このような支持部２０は、通常、金属により形成されており、例えば、アルミニウム合金などが用いられる。このアルミニウム合金は、軽量で強度が高く、また、表面に強固な酸化膜を形成して腐食を防止できる点において好適である。また、アルミニウム合金は加工も容易で、例えば、押し出し成形により形成された長尺材から切り出されたもの用いて四辺を形成させることも容易で、サイズの異なるパネル加工品を製造することも容易である。
【００１６】
前記カバー部２４は、ゴムなどの弾性部材からなり、凸出している部分は厚さ１ｍｍ程度の平板状に形成され、前記立設部２２への取り付け部分は、立設部２２に形成された嵌合溝２２１に嵌合される形状に形成されている。
【００１７】
次いで、このようなパネル加工品１を用いてパネル壁を製造する場合を説明する。
まず、既存壁（図示せず）上にアングル、木枠などを用いてパネル加工品を取り付ける枠５を形成させる。そして、この形成された枠５に一つのパネル加工品１を位置決めし、前記ネジ止着部２１を用いて枠５に止着させ一つのパネル加工品１を取り付ける。
次いで、この固定されたパネル加工品１の上下左右の何れかに配される新たなパネル加工品１を、固定されたパネル加工品１のネジ止着部２１と、新たに固定するパネル加工品１のネジ止着部２１とを当接させることで位置決めし、新たなパネル加工品１を、先に固定したパネル加工品１と同様に取り付ける。このとき、ネジ止着部２１はパネル加工品１の側縁から約１０ｍｍ凸出しているため、隣接するパネル加工品間には約２０ｍｍの間隙１００が形成される。このように、順にパネル加工品を取り付け配列されたパネル加工品の間に碁盤目状に間隙１００が形成されたパネル壁が製造される。
【００１８】
また、このとき、カバー部２４がネジ止着部２１よりも外方に数ｍｍ凸出しているため、ネジ止着部２１を当接させる前にカバー部同士が当接することとなるが、カバー部２４には弾性部材が用いられているため対向するカバー部２４を前後に重なり合うように変形させることができる。また、このように変形させられたカバー部２４には復元力が発生し、該復元力によりカバー部同士に当接力が発生し防水性が得られることとなる。また、この重なり合ったカバー部２４により、そのままでは壁表面側からネジ止着部２１を直接視認することができなくなるが、カバー部２４を表面側あるいは背面側に屈曲させて生じた隙間からネジ止着部２１を視認することができる。したがって、同様にカバー部２４を屈曲させて生じた隙間から、ネジ回しなどの工具を挿入してネジ止着部２１での止着を実施させることができる。
このように、取り付けの終了したネジ止着部に新たに取り付けるパネル加工品のネジ止着部を当接させてパネル加工品の位置決めを行うことができ板状本体が互いに間隙を設けて配列された状態の壁を容易に製造することができる。また、この配列されたパネル加工品の間の間隙部は、カバー部で基体ならびにネジ止着部が視認されることを防止されているため美観が保たれる。また、この間隙部は、ゴムなどの弾性部材により形成されたカバー部により覆われていることからこのカバー部を屈曲させて所望の壁パネルのみを取り外し、交換、再取り付けしたりすることができメンテナンス性においても優れている。
【００１９】
なお、本実施形態においては、既存壁上に枠を介してパネル加工品を敷設したパネル壁を例に説明したが、既存壁上に直接パネル加工品を敷設する場合も本発明の意図する範囲である。
【００２０】
また、本実施形態においては、四方に隣接するいずれのパネル加工品ともカバー部を重ね合わせることができ、四方いずれへの位置ずれが生じたときでもパネル壁の美観の低下や水の浸入を抑制し得る点、ならびに、ネジ止着部同士を当接させてパネル加工品の位置決めが容易となる点においてパネル加工品の四縁全周にネジ止着部やカバー部が形成されたものを用いて碁盤目状に間隙が形成された壁を製造する場合を例に説明したが、本発明においては、パネル加工品を四縁全周にネジ止着部やカバー部が形成されたものに限定するものではない。
方形のパネル加工品の四縁全周にネジ止着部やカバー部を形成させずに、パネル加工品の対向する二辺にのみネジ止着部とカバー部が形成されたパネル加工品を用いて、前後あるいは左右のいずれかには間隙部を設けずに間隙部が碁盤目状ではなく線状となる場合も本発明の意図する範囲である。
【００２１】
さらに、本発明においては、パネル加工品を方形のものに限定するものではなく、方形以外の多角形や、雁行形状などのものも意図する範囲である。
【００２２】
また、本実施形態においては、カバー部が全体的に弾性部材で形成されている場合を例に説明したが、本発明においては、カバー部に力を加えてパネル壁の表面側あるいは背面側に屈曲させた後に前記力を解放することで屈曲前の状態にカバー部を復元させ得るようにカバー部が形成されているものであれば、カバー部の一部に弾性部材が用いられているものであっても良い。
【図面の簡単な説明】
【００２３】
【図１】一実施形態のパネル壁を示す斜視図。
【図２】A−A’矢視断面図。
【符号の説明】
【００２４】
１：パネル加工品、３：ネジ、５：枠、１０：板状本体部（方形板）、２０：支持部、２１：ネジ止着部、２４：カバー部、１００：間隙
【図１】
0004518265.tif 000002
【図２】
0004518265.tif 000003